(57)【要約】【課題】光源で発生した熱による光学シートへの熱的影響を抑え、高輝度の光源であっても高い表示品位を維持することができるようにした液晶表示装置を提供する。【解決手段】液晶表示装置（１）は、光源となるＬＥＤを配設したＬＥＤ基板（１４ａ）からの放熱が液晶表示装置（１）を構成する部材を介して光学シート１０に向けて伝導する伝導経路中に、その部材の一部として中間シャーシ（１１ａ）が設けられる。そして中間シャーシ（１１ａ）から光学シート１０に対して熱が伝導する経路上に、樹脂製のスペーサ部材（Ｓ１）〜（Ｓ４）が配置されている。【選択図】図４
2014092700.tif 000002
【特許請求の範囲】
【請求項１】
光源と、該光源からの光を内部で拡散して出射させる導光板と、該導光板から出射した光に作用して光学的特性を変換する光学シートと、該光学シートから出射した光を変調して画像表示を行う液晶パネルと、を有する液晶表示装置において、
前記光源を配設した基板からの放熱が前記液晶表示装置を構成する部材を介して前記光学シートに向けて伝導する伝導経路中に、前記部材の一部として中間シャーシが設けられ、前記中間シャーシから前記光学シートに対して熱が伝導する経路上に、樹脂製のスペーサ部材が配置されていることを特徴とする液晶表示装置。
【請求項２】
請求項１に記載の液晶表示装置において、
前記スペーサ部材は、前記中間シャーシと前記光学シートとの間、前記中間シャーシと前記導光板との間、及び前記中間シャーシと前記液晶パネルとの間に設けられていることを特徴とする液晶表示装置。
【請求項３】
請求項２に記載の液晶表示装置において、
前記光源が配設された光源基板を保持し、該光源基板からの発熱を放熱させる放熱部材と、
前記放熱部材に接続され、前記導光板の背面側に配置される背面シャーシと、
前記液晶パネルの周囲を囲むように設けられた前面フレームと、を備え、
前記放熱部材、前記中間シャーシ、及び前記前面フレームが一体に固定され、前記背面シャーシと前記液晶パネルの端部との間に、前記導光板、前記光学シート、及び前記液晶パネルが保持され、
前記中間シャーシの一部が、前記光学シートの周縁部と前記導光板の周縁部との間に挿入され、該光学シートと該導光板との間に所定間隔の空気層を形成していることを特徴とする液晶表示装置。
【請求項４】
請求項３に記載の液晶表示装置において、
前記スペーサ部材は、さらに前記前面フレームと前記液晶パネルとの間に設けられていることを特徴とする液晶表示装置。
【発明の詳細な説明】
【技術分野】
【０００１】
本発明は、液晶表示装置に関し、より詳細には、バックライト光源の発熱を放熱するための放熱構造を備えた液晶表示装置に関する。
【背景技術】
【０００２】
近年、薄型テレビ等の液晶表示装置の大画面化が進んでおり、例えば６０型、７０型、８０型といった画面サイズの製品が販売されている。このような液晶表示装置では、従来の蛍光管に代わり、ＬＥＤ（Light Emitting Diode）をバックライト光源としたものが主流になってきた。また、液晶表示装置の用途は、テレビに限らず、ＰＣ（パーソナルコンピュータ）のモニタや、デジタルサイネージ（電子看板）など、多様化しており、これに伴い、ＬＥＤについてもより高輝度（高出力）のものが要求されている。
【０００３】
上記の液晶表示装置においては、ＬＥＤの高輝度化に伴い、発熱量も増加する。従って、ＬＥＤからの発熱に対して、熱的な影響を受ける部材には、断熱、放熱対策が必要となる。例えば、液晶表示装置は、通常、バックライト光源から出射した光に作用し、その光の特性を変換する光学シートが設けられ、その光学シートを出射した光によって液晶パネルを照明するようにしている。
【０００４】
光学シートとしては、例えば、液晶パネルに対してできるだけ垂直な光を入射させ、液晶パネルの正面輝度を向上させるマイクロレンズシートや、マイクロレンズシートと同様に光を集光して液晶パネルに向けて照射するプリズムシート（輝度向上シートなどと呼ばれる）などが使用される。
【０００５】
光学シートは樹脂製であり、バックライト光源として使用されるＬＥＤから放熱される熱が、ＬＥＤを設置した基板周辺の部材を介して光学シートに伝えられると、光学シートが熱的影響を受けて変形することがある。すると面内の見かけ上の光学特性が変化してしまい（フレア）、液晶パネルに表示させる表示映像の品位の低下を招く。特に近年のバックライト光源の高輝度化に伴う発熱量の増大により、光学シートがその熱的影響を受けないような構造を採る必要がある。
【０００６】
液晶パネルの部材の断熱構造に係る技術に関して、例えば、特許文献１には、光学シートの熱的影響による損傷や皺を防止するための構造を備えた液晶表示装置が開示されている。この液晶表示装置は、導光板と液晶パネルとの間に、液晶パネルを保持するためのパネルガイドの端部が挿入されている。導光板の上には光学シートが配置され、光学シートと液晶パネルとの間には間隙が設けられている。そして、導光板とパネルガイドの背面側との間に間隔維持／熱遮断部材が設けられる。この間隔維持／熱遮断部材により、導光板の側方の設けられた光源ランプで発生した熱を遮断し、導光板の上に配置されている光学シートが熱的影響を受けないようにしている。
【先行技術文献】
【特許文献】
【０００７】
【特許文献１】特開２００８−１８１１５０号公報
【発明の概要】
【発明が解決しようとする課題】
【０００８】
光学シートに対する熱的影響に係る課題を、従来の液晶表示装置の構成例により説明する。図６は、従来の液晶表示装置の構成例を示す図で、液晶表示装置の上端部分の断面を示すものである。液晶表示装置１００は、装飾部材１０１、前面フレーム１０２、液晶パネル１０３、光学シート１０４、導光板１０５、反射シート１０６、背面シャーシ（バックライトシャーシともいう）１０７、ヒートスプレッダ１０８、及びＬＥＤ基板１０９を備える。前面フレーム１０２は、例えば、アルミニウム合金製であり、液晶パネル１０３の前面端部との間にスペーサ部材Ｓ１１を挟んで配置され、液晶表示装置１００の前面キャビネットとして機能する。また、前面フレーム１０２の天面には装飾部材１０１が取り付けられている。
【０００９】
液晶パネル１０３の背面側には、光学シート１０４、導光板１０５、反射シート１０６がこの順番で設けられている。光学シート１０４は、上記のように導光板１０５から出射した光を作用させるもので、液晶パネルの正面輝度を向上させるなどの機能を有する。
導光板１０５は、アクリル樹脂やポリカーボネート樹脂、シクロオレフィン系樹脂（ＣＯＰ）などからなり、バックライト光源から入射された光を液晶パネル１０３に出射する。導光板１０５の背面側には、反射シート１０６が設置され、導光板１０５の背面側の面から漏れ出た光を反射させて前方に戻し、光の利用効率を高める。
【００１０】
ＬＥＤ基板１０９は、バックライト光源であるＬＥＤを配置した基板であり、ヒートスプレッダ１０８に両面テープ等により固定される。ヒートスプレッダ１０８は、例えば、断面Ｔ字形状のアルミニウム合金製であり、ＬＥＤを配置したＬＥＤ基板１０９を、導光板１０５の上下端に形成される入射面に対向する位置に固定する。また、ヒートスプレッダ１０８の背面側には、バックライトシャーシ１０７が設けられている。バックライトシャーシ１０７は、例えば、鉄製であり、ヒートスプレッダ１０８からの熱を背面側に放熱する機能を有する。
【００１１】
また、バックライトシャーシ１０７は、液晶パネル１０３の方向に凸であり、バックライトシャーシ１０７及び前面フレーム１０２により、液晶パネル１０３、光学シート１０４、導光板１０５、反射シート１０６が挟持され、これら各部材が密着した状態で固定される。具体的には、図８に示すように、バックライトシャーシ１０７がヒートスプレッダ１０８及びスペーサ部材Ｓ１２を挟んで前面フレーム１０２にネジ１１０により固定される。
【００１２】
ＬＥＤ基板１０９に配設されているＬＥＤで発熱した熱は、破線の矢印で図示するように、ＬＥＤ基板１０９からヒートスプレッダ１０８を介して前面フレーム１０２に伝わり、さらに導光板１０５に伝えられて、導光板１０５に接触している光学シート１０４に熱的影響を与える。具体的には、図６に示したように、前面フレーム１０２とヒートスプレッダ１０８とは接点Ｃで接しているため、ＬＥＤ基板１０９で発生した熱は、ヒートスプレッダ１０８から接点Ｃを介して前面フレーム１０２に伝わり、さらに、前面フレーム１０２から第１の抑え突起１０２ａを介して導光板１０５に伝わり、導光板１０５に接触する光学シート１０４にその熱が伝わる。
【００１３】
このように、従来の液晶表示装置は、バックライト光源で発生した熱が、各種部材を通して光学シートに伝わり、光学シートの光学特性を悪化させ、表示品位を阻害する、という課題があった。特に近年のバックライト光源の高輝度化に伴う発熱の増大により、上記のような課題が重要視されている。
また、特許文献１の液晶表示装置は、ランプ（バックライト光源）から光学シート側に流入する熱を遮断するための間隔維持／遮断部材を設けた構成を有するものであるが、上記のようにバックライト光源となるＬＥＤから発熱した熱がヒートスプレッダを介して前シャーシに伝達され、導光板に伝わって光学シートに影響を与えるときの光学シートに対する熱的影響を抑えるものではない。
【００１４】
本発明は、上述のような実情に鑑みてなされたもので、光源で発生した熱による光学シートへの熱的影響を抑え、高い表示品位を維持することができるようにした液晶表示装置を提供することを目的とする。
【課題を解決するための手段】
【００１５】
上記課題を解決するために、本発明の第１の技術手段は、光源と、該光源からの光を内部で拡散して出射させる導光板と、該導光板から出射した光に作用して光学的特性を変換する光学シートと、該光学シートから出射した光を変調して画像表示を行う液晶パネルと、を有する液晶表示装置において、前記光源を配設した基板からの放熱が前記液晶表示装置を構成する部材を介して前記光学シートに向けて伝導する伝導経路中に、前記部材の一部として中間シャーシが設けられ、前記中間シャーシから前記光学シートに対して熱が伝導する経路上に、樹脂製のスペーサ部材が配置されていることを特徴としたものである。
【００１６】
第２の技術手段は、第１の技術手段において、前記スペーサ部材は、前記中間シャーシと前記光学シートとの間、前記中間シャーシと前記導光板との間、及び前記中間シャーシと前記液晶パネルとの間に設けられていることを特徴としたものである。
【００１７】
第３の技術手段は、第２の技術手段において、前記光源が配設された光源基板を保持し、該光源基板からの発熱を放熱させる放熱部材と、前記放熱部材に接続され、前記導光板の背面側に配置される背面シャーシと、前記液晶パネルの周囲を囲むように設けられた前面フレームとを備え、前記放熱部材、前記中間シャーシ、及び前記前面フレームが一体に固定され、前記背面シャーシと前記液晶パネルの端部との間に、前記導光板、前記光学シート、及び前記液晶パネルが保持され、前記中間シャーシの一部が、前記光学シートの周縁部と前記導光板の周縁部との間に挿入され、該光学シートと該導光板との間に所定間隔の空気層を形成していることを特徴としたものである。
【００１８】
第４の技術手段は、第３の技術手段において、前記スペーサ部材は、さらに前記前面フレームと前記液晶パネルとの間に設けられていることを特徴としたものである。
【発明の効果】
【００１９】
本発明によれば、光源で発生した熱による光学シートへの熱的影響を抑え、高い表示品位を維持することができるようにした液晶表示装置を提供することができる。
【図面の簡単な説明】
【００２０】
【図１】本発明による液晶表示装置の外観の一例を示す図である。
【図２】図１に示す液晶表示装置から背面キャビネットを取り外した状態を示す図である。
【図３】図１に示す液晶表示装置の内部構造を分解した状態の一例を示す図である。
【図４】図１に示す液晶表示装置の上端部分の断面を示す図である。
【図５】図１に示す液晶表示装置の下端部分を斜め後方から見た状態の一例を示す図である。
【図６】従来の放熱構造を持つ液晶表示装置の上端部分の断面を示す図である。
【発明を実施するための形態】
【００２１】
図１は、本発明による液晶表示装置の外観の一例を示す図である。図１（Ａ）は液晶表示装置を正面から見た状態を示し、図１（Ｂ）は液晶表示装置を背面から見た状態を示し、図１（Ｃ）は液晶表示装置を左側面から見た状態を示す。図中、１は液晶表示装置、２ａ〜２ｄは前面フレーム（前面キャビネット）、３は液晶パネル、４はスタンド（支持台）、５は背面キャビネット、６は電源コード引出部、７は操作ボタン部を示す。
【００２２】
図１において、液晶パネル３は、２枚のガラス基板間に液晶を挟持した構成を有し、液晶を構成する液晶分子の配向状態が制御されることで、導光板（図１では図示せず）から出射された光の透過／遮断を制御する光シャッタとしての機能を有する。また、前面フレーム２ａ〜２ｄは、液晶パネル３の周囲を囲むように設けられ、前面キャビネットを上下左右に４分割したフレーム構造とされている。前面フレーム２ａ〜２ｄは、デザイン性を高めるために、樹脂ではなく、例えば、アルミニウム合金などの金属製とされている。
【００２３】
樹脂製の背面キャビネット５は、液晶表示装置１を支持するスタンド４が取り付けられ、液晶表示装置１の内部から電源コードを引き出すための電源コード引出部６が形成されている。また、液晶表示装置１の左側面には、液晶表示装置１を操作するための操作ボタン部７が設けられている。
【００２４】
図２は、図１に示す液晶表示装置１から背面キャビネット５を取り外した状態を示す図である。背面キャビネット５を取り外した状態では、背面シャーシ（以下、バックライトシャーシという）９と、ヒートスプレッダ８ａ，８ｂとが見えている。ヒートスプレッダ８ａ，８ｂは、ＬＥＤ光源の発熱を放熱するための放熱部材として機能し、例えば、放熱性能の高いアルミニウム合金製とされる。また、バックライトシャーシ９は、例えば、鉄などの金属で形成され、バックライトシャーシ９の背面上下端には、ヒートスプレッダ８ａ，８ｂが固定されている。センターシール及び補助金具枠組品９ａは、バックライトシャーシ９及びヒートスプレッダ８ａ，８ｂの背面側に固定されている。
【００２５】
ヒートスプレッダ８ａ，８ｂの上下方向の長さは、例えば、画面サイズが７０インチ、ヒートスプレッダ８ａ，８ｂの材質をアルミとした場合で約１５０ｍｍとしている。この長さは、画面サイズに応じたＬＥＤの発熱量に対して、放熱に必要な面積を計算することで適宜決めることができる。また、ヒートスプレッダ８ａ，８ｂは、バックライトシャーシ９の背面に配置されるようにしたため、従来（図６）のものと比べ、放熱面積を大きくすることができる。このため、より高い放熱効果を得ることができる。
【００２６】
図３は、図１に示す液晶表示装置１の内部構造を分解した状態の一例を示す図である。液晶表示装置１は、前面キャビネットとして金属製の前面フレーム２ａ〜２ｄを備える。これら４つの前面フレーム２ａ〜２ｄは、４つのフレーム締結金具２ｅ１〜２ｅ４により１つのフレーム部材として組み立てられ、液晶パネル３の周囲に固定される。
【００２７】
液晶パネル３の背面側には、光学シート１０、導光板１２、及び反射シート１３がこの順番で設けられている。光学シート１０は、例えば、２枚のマイクロレンズシートと、１枚の輝度向上シートとで構成され、導光板１２から出射された光の正面方向の輝度を向上させるなどの機能を有する。
導光板１２は、アクリル樹脂やポリカーボネート樹脂、シクロオレフィン系樹脂（ＣＯＰ）などからなり、バックライト光源から入射された光を内部で拡散して液晶パネル３に向けて出射する。導光板１２の背面側には、反射シート１３が設置され、導光板１２の背面側の面から漏れ出た光を反射させて前方に戻し、光の利用効率を高める。
【００２８】
バックライトシャーシ９は、導光板１２及び反射シート１３の背面側に設けられ、これら導光板１２及び反射シート１３を保持する。ヒートスプレッダ８ａ，８ｂは、バックライトシャーシ９の外側に設けられ、導光板１２の上下端に形成される入射面に対向する位置に、ＬＥＤ光源を配置したＬＥＤ基板１４ａ，１４ｂを保持し、ＬＥＤ基板１４ａ，１４ｂからの発熱を放熱させる。なお、ヒートスプレッダ８ａ，８ｂと、ＬＥＤ基板１４ａ，１４ｂとは両面テープ等により固定される。
【００２９】
また、液晶表示装置１は、プラスチック等で形成された中間シャーシ１１ａ〜１１ｆを備える。中間シャーシ１１ａ〜１１ｆは、光源となるＬＥＤを配設したＬＥＤ基板１４ａ、１４ｂからの放熱が液晶表示装置１を構成する部材を介して光学シート１０に向けた伝導する経路中に設けられるもので、樹脂、ゴム等の材質からなり、それ自体も断熱特性を有するものである。本例では中間シャーシを６分割としているが、例えば４分割としてもよく、特に分割数を限定するものではない。これら中間シャーシ１１ａ〜１１ｆは、光学シート１０の周縁部と導光板１２の周縁部との間に挿入される。
【００３０】
図４は、図１に示す液晶表示装置１の上端部分の断面を示す図である。液晶表示装置１（上部側）は、上述したように、前面フレーム２ａ、液晶パネル３、光学シート１０、中間シャーシ１１ａ、導光板１２、反射シート１３、バックライトシャーシ９、ヒートスプレッダ８ａ、及びＬＥＤ基板１４ａを備える。
【００３１】
ＬＥＤ基板１４ａが固定されたヒートスプレッダ８ａは、ＬＥＤ基板１４ａの背面側端部で上下方向内側に向けて屈曲し、所定長延伸されている。バックライトシャーシ９は、ヒートスプレッダ８ａの前側（液晶パネル３側）でヒートスプレッダ８ａに固定される。
中間シャーシ１１ａは、前面フレーム２ａと、ヒートスプレッダ８ａとの間に延設され、その一部が光学シート１０の周縁部と導光板１２の周縁部との間に挿入される。
【００３２】
前面フレーム２ａと、ヒートスプレッダ８ａに形成されたフランジ８１ａとは、中間シャーシ１１ａから延設されたフランジ１１１ａを挟んで、背面側からネジ１５ａなどの固定部材により一体的に固定されている。なお、固定箇所については、例えば、液晶表示装置１の４隅が固定されるものとする。このようにネジ固定を背面から正面に向けて行うことで、筐体の強度を確保することができ、さらには、ネジを隠すことができるため、デザイン性の観点からも望ましい。
【００３３】
この構成により、ヒートスプレッダ８ａと中間シャーシ１１ａと前面フレーム２ａとが一体に固定され、ヒートスプレッダ８ａに固定されるバックライトシャーシ９と前面フレーム２ａとの間で、バックライトシャーシ９側から順に、反射シート１３、導光板１２、光学シート１０、液晶パネル３が重ねられて保持される。このとき、ヒートスプレッダ８ａと前面フレーム２ａとの間に中間シャーシ１１ａを配置し、中間シャーシ１１ａの一部を光学シート１０の周縁部と導光板１２の周縁部との間に挿入することで、光学シート１０と導光板１２との間に所定間隔の空気層１６が形成される。この空気層１６の間隔は例えば約３ｍｍ程度とされる。なお、光学シート１０は、光学シート１０の周縁に沿って形成された複数の孔（図示せず）が、中間シャーシ１１ａ〜１１ｆに形成されたリブ（図示せず）に係止される形で固定される。
【００３４】
熱源となるＬＥＤを配置したＬＥＤ基板１４ａでの発熱は、ヒートスプレッダ８ａにより効率的に放熱されるが、破線矢印で示すように、ＬＥＤ基板１４ａでの発熱がヒートスプレッダ８ａから中間シャーシ１１ａに伝導し、さらに中間シャーシ１１ａから液晶パネル３を介して、あるいは中間シャーシ１１ａから直接に、あるいは中間シャーシ１１ａから導光板１２を介して光学シート１０に伝わろうとする。あるいは、中間シャーシ１１ａから前面フレーム２ａと液晶パネル３を介して光学シート１０に伝わろうとする熱もある。あるいは、ＬＥＤ基板１４ａでの発熱がヒートスプレッダ８ａからバックライトシャーシ９に伝わり、バックライトシャーシ９から反射シート１３、導光板１２を介して光学シート１０に伝わろうとする。
中間シャーシ１１ａは樹脂、またはゴム等の材質よりなり、断熱特性を付与するために効果的なものであるが、それでも中間シャーシ１１ａのみで完全に断熱できるものではなく、ＬＥＤ基板１４からの熱が中間シャーシ１１ａを伝導して光学シート１０に影響する可能性がある。
【００３５】
ＬＥＤの発熱の影響を光学シート１０が受けないようするための構成として、前面フレーム２ａと液晶パネル３との間、液晶パネル３と中間シャーシ１１ａとの間、中間シャーシ１１ａと光学シート１０との間、及び中間シャーシ１１ａと導光板１２との間に、それぞれスペーサ部材Ｓ１，Ｓ２，Ｓ３，Ｓ４を配置する。スペーサ部材Ｓ１，Ｓ２，Ｓ３，Ｓ４には、発泡ウレタン樹脂などの発泡樹脂部材、あるいはＰＥＴシートなどの樹脂部材、あるいはこれらを組わせたものなどを適用することができる。
【００３６】
ＬＥＤ基板１４ａから中間シャーシ１１ａに伝わり、さらに前面フレーム２ａから液晶パネル３に伝わろうとする熱は、スペーサ部材Ｓ１によって断熱することができる。また、ＬＥＤ基板１４ａから中間シャーシ１１ａに伝わり、さらに液晶パネル３に伝わろうとする熱は、スペーサ部材Ｓ２によって断熱することができる。また、中間シャーシ１１ａから導光板１２に伝わろうとする熱は、スペーサ部材Ｓ４により断熱される。
【００３７】
また、中間シャーシ１１ａから直接光学シート１０に伝わろうとする熱は、スペーサ部材Ｓ３によって断熱することができる。ここでスペーサ部材Ｓ３は、光学シート１０に直接接触すると、光学シート１０が環境温度の変化等で微小に膨張／収縮したときにその歪を開放できない可能性があるため、スペーサ部材Ｓ３と光学シート１０との間を微小間隔だけ離間させるように配置することができる。例えば振動等により光学シート１０が中間シャーシ１１ａ側に揺れた場合などには、スペーサ部材Ｓ３が配置されていることにより、光学シート１０の損傷や光学特性の変化を回避することができる。
【００３８】
また、中間シャーシ１１ａを光学シート１０と導光板１２との間に挿入することで、光学シート１０と導光板１２との間に空気層１６が形成される。この空気層１６により、バックライトシャーシ９から導光板１２を介して光学シート１０に伝わろうとする熱を断熱する効果が得られる。
【００３９】
上記のように、スペーサ部材Ｓ１〜Ｓ４を配置することにより、ＬＥＤによる発熱の光学シート１０への伝達経路を遮断し、光学シート１０への熱的影響を抑えることができる。また、中間シャーシ１１ａによって形成される光学シート１０と導光板１２との間の空気層１６により、導光板１２から光学シート１０への熱的影響を抑えることができる。
【００４０】
図５は、図１に示す液晶表示装置１の下端部分を斜め後方から見た状態の一例を示す図である。なお、本例では４隅固定用のネジを省略している。液晶表示装置１（下部側）は、前面フレーム２ｃ、液晶パネル３、光学シート１０、中間シャーシ１１ｅ、導光板１２、反射シート１３、バックライトシャーシ９、ヒートスプレッダ８ｂ、及びＬＥＤ基板１４ｂを備える。
【００４１】
液晶表示装置１の下端部分の基本的な構成は、図４で示した上端部分の構成と同様であり、前面フレーム２ｃと液晶パネル３との間、液晶パネル３と中間シャーシ１１ｅとの間、中間シャーシ１１ｅと光学シート１０との間、中間シャーシ１１ｃと導光板１２との間には、それぞれ発泡ウレタン等のスペーサ部材Ｓ５，Ｓ６，Ｓ７，Ｓ８が配置されている。これらにより、ＬＥＤ基板１４ｂから発熱した熱が光学シート１０に伝わる経路を遮断し、光学シート１０に対する熱的影響を抑えることができる。また、中間シャーシ１１ｅを光学シート１０と導光板１２との間に挿入することで、光学シート１０と導光板１２との間に空気層１６が形成され、この空気層１６がＬＥＤ基板１４ｂでの発熱を遮断する断熱層として機能するため、熱が光学シート１０に伝わり難くすることができる。  
【００４２】
液晶表示装置は、光源と、光源からの光を内部で拡散して出射させる導光板と、導光板から出射した光に作用して光学的特性を変換する光学シートと、光学シートから出射した光を変調して画像表示を行う液晶パネルと、を有する液晶表示装置であって、光源を配設した基板からの放熱が液晶表示装置を構成する部材を介して光学シートに向けて伝導する伝導経路中に、上記の部材の一部として中間シャーシが設けられ、中間シャーシから光学シートに対して熱が伝導する経路上に、樹脂製のスペーサ部材が配置されたものであってよい。これにより、光源で発生した熱による光学シートへの熱的影響を抑え、高い表示品位を維持することができるようになる。
【００４３】
また、液晶表示装置は、スペーサ部材が、中間シャーシと光学シートとの間、中間シャーシと導光板との間、及び中間シャーシと液晶パネルとの間に設けられているものであってよい。これにより、スペーサ部材を配置する位置の具体的構成が提供され、効果的に光学シートへの熱的影響を抑えることができる。
【００４４】
また、液晶表示装置は、光源が配設された光源基板を保持し、光源基板からの発熱を放熱させる放熱部材と、放熱部材に接続され、前記導光板の背面側に配置される背面シャーシと、液晶パネルの周囲を囲むように設けられた前面フレームと、を備え、放熱部材、中間シャーシ、及び前面パネルが一体に固定され、背面シャーシと前面パネルの端部との間に、導光板、光学シート、及び液晶パネルが保持され、光学シートの周縁部と導光板の周縁部との間に中間シャーシの一部が挿入され、光学シートと導光板との間に所定間隔の空気層を形成しているものであってよい。これにより、光学シートと導光板との間に形成された空気層によって、光学シートへの熱的影響を抑えることができる。
【００４５】
また、液晶表示装置は、スペーサ部材が、さらに前面部材と液晶パネルとの間に設けられているものであってよい。これにより、さらに効果的に光学シートへの熱的影響を抑えることができる。
【符号の説明】
【００４６】
１…液晶表示装置、２ａ…前面フレーム、２ｃ…前面フレーム、２ｅ１…フレーム締結金具、３…液晶パネル、４…スタンド、５…背面キャビネット、６…電源コード引出部、７…操作ボタン部、８ａ，８ｂ…ヒートスプレッダ、９…バックライトシャーシ、９ａ…補助金具枠組品、１０…光学シート、１１…スペーサ部材Ｓ、１１ａ…中間シャーシ、１１ｅ…中間シャーシ、１２…導光板、１３…反射シート、１４…ＬＥＤ基板、１４ａ，１４ｂ…ＬＥＤ基板、１５ａ…ネジ、１６…空気層、８１ａ…フランジ、１００…液晶表示装置、１０１…装飾部材、１０２…前面フレーム、１０２ａ…突起、１０３…液晶パネル、１０４…光学シート、１０５…導光板、１０６…反射シート、１０７…バックライトシャーシ、１０８…ヒートスプレッダ、１０９…ＬＥＤ基板、１１０…ネジ、１１１ａ…フランジ。
【図１】
2014092700.tif 000003
【図２】
2014092700.tif 000004
【図３】
2014092700.tif 000005
【図４】
2014092700.tif 000006
【図５】
2014092700.tif 000007
【図６】
2014092700.tif 000008